(57)【要約】【課題】下着の機能を果たすだけではなく、巻き肩や猫背になることを抑制し、姿勢の矯正を図ることができるブラジャーを提供する。【解決手段】前身頃に設けられるバストを覆う左右一対のカップ部と、カップ部の下方に設けられ、アンダーバストに位置する胴体周囲を覆うリング状の下縁ベルト３と、一方のカップ部の上部から上方に延出し、一方の肩の上部を通過して、他方の肩の下方に位置する下縁ベルト３に連結される帯状の第１サポート部材４と、他方のカップ部の上部から上方に延出し、他方の肩の上部を通過して、一方の肩の下方に位置する下縁ベルト３に連結される帯状の第２サポート部材５とを一体に備え、第１サポート部材４と第２サポート部材５とは、後ろ身頃で交差するとともに、幅方向両端部と幅方向中央部とに、長さ方向に伸縮性を有するストレッチテープ６ａ，６ｂ，６ｃを取り付けた。【選択図】図２
0003226463.tif 000002
【実用新案登録請求の範囲】
【請求項１】
前身頃に設けられるバストを覆う左右一対のカップ部と、該カップ部の下方に設けられ、アンダーバストに位置する胴体周囲を覆うリング状の下縁ベルトと、一方の前記カップ部の上部から上方に延出し、一方の肩の上部を通過して、他方の肩の下方に位置する前記下縁ベルトに連結される帯状の第１サポート部材と、他方の前記カップ部の上部から上方に延出し、他方の肩の上部を通過して、一方の肩の下方に位置する前記下縁ベルトに連結される帯状の第２サポート部材とを一体に備え、前記第１サポート部材と前記第２サポート部材とは、後ろ身頃で交差するとともに、幅方向両端部と幅方向中央部とに、長さ方向に伸縮性を有するストレッチテープを取り付けたことを特徴とするブラジャー。
【請求項２】
前記後ろ身頃の、前記一方の肩の下方で、上下に位置する前記第１サポート部材と前記第２サポート部材とを帯状の第３サポート部材で連結するとともに、前記他方の肩の下方で、上下に位置する前記第２サポート部材と前記第１サポート部材とを帯状の第４サポート部材で連結し、前記第３サポート部材と前記第４サポート部材の幅方向両端部と幅方向中央部とに、長さ方向に伸縮性を有するストレッチテープを取り付けたことを特徴とする請求項１記載のブラジャー。
【考案の詳細な説明】
【技術分野】
【０００１】
本考案は、ブラジャーに関し、詳しくは、姿勢を矯正する機能を備えたブラジャーに関する。
【背景技術】
【０００２】
従来、ブラジャーとして、バストアップ効果を図った構造を備えたものや、激しい運動に対応する際の体型のサポート力を備えたもの（例えば、特許文献１及び２参照。）等、下着の機能を果たすだけではなく、体型の補正機能を付加させたものがあった。
【先行技術文献】
【特許文献】
【０００３】
【特許文献１】特開２００８−５０７４１号公報
【特許文献２】特開２０１７−１３３１２７号公報
【考案の概要】
【考案が解決しようとする課題】
【０００４】
近年、仕事やプライベートで、パソコンやスマートフォンを長時間使用する人が増えているが、肩甲骨が広がり肩が体の前方に入り込んだ姿勢を長時間続けてパソコンやスマートフォンを操作することから、姿勢が悪化する人が増えている。肩甲骨が広がり肩が体の前方に入り込んだ、いわゆる、巻き肩や猫背になると、肩や首が凝ったり痺れたりするほか、息苦しさを感じる等、体調不良を感じることがあった。
【０００５】
上述の特許文献１及び２は、体型の補正機能は備えているものの、巻き肩や猫背の予防や矯正機能は備えていなかった。
【０００６】
そこで本考案は、下着の機能を果たすだけではなく、巻き肩や猫背になることを抑制し、姿勢の矯正を図ることができるブラジャーを提供することを目的としている。
【課題を解決するための手段】
【０００７】
上記の目的を達成するため本考案は、前身頃に設けられるバストを覆う左右一対のカップ部と、該カップ部の下方に設けられ、アンダーバストに位置する胴体周囲を覆うリング状の下縁ベルトと、一方の前記カップ部の上部から上方に延出し、一方の肩の上部を通過して、他方の肩の下方に位置する前記下縁ベルトに連結される帯状の第１サポート部材と、他方の前記カップ部の上部から上方に延出し、他方の肩の上部を通過して、一方の肩の下方に位置する前記下縁ベルトに連結される帯状の第２サポート部材とを一体に備え、前記第１サポート部材と前記第２サポート部材とは、後ろ身頃で交差するとともに、幅方向両端部と幅方向中央部とに、長さ方向に伸縮性を有するストレッチテープを取り付けたことを特徴としている。
【０００８】
また、前記後ろ身頃の、前記一方の肩の下方で、上下に位置する前記第１サポート部材と前記第２サポート部材とを帯状の第３サポート部材で連結するとともに、前記他方の肩の下方で、上下に位置する前記第２サポート部材と前記第１サポート部材とを帯状の第４サポート部材で連結し、前記第３サポート部材と前記第４サポート部材の幅方向両端部と幅方向中央部とに、長さ方向に伸縮性を有するストレッチテープを取り付けると好ましい。
【考案の効果】
【０００９】
本考案のブラジャーによれば、第１サポート部材と第２サポート部材とが着用者の背中で交差するとともに、第１サポート部材と第２サポート部材とは、長さ方向に伸縮性を有するストレッチテープが取り付けられているので、ストレッチテープの緊迫力により、着用者の左右の肩甲骨を引き寄せるとともに、上腕部及び肩を体の後方へ引き寄せ、巻き肩や猫背になることを抑制できる。また、巻き肩や猫背の人が着用することにより、姿勢の矯正を行うことができ、巻き肩や猫背を改善させることができる。
【００１０】
さらに、後ろ身頃の、一方の肩の下方で、上下に位置する第１サポート部材と第２サポート部材とを帯状の第３サポート部材で連結するとともに、他方の肩の下方で、上下に位置する第２サポート部材と第１サポート部材とを帯状の第４サポート部材で連結し、第３サポート部材と第４サポート部材の幅方向両端部と幅方向中央部とに、長さ方向に伸縮性を有するストレッチテープを取り付けたことにより、第１サポート部材と第２サポート部材と第３サポート部材と第４サポート部材とで、より確実に着用者の左右の肩甲骨を引き寄せるとともに、上腕部及び肩を体の後方へ引き寄せることができ、姿勢の矯正を行うことができる。
【図面の簡単な説明】
【００１１】
【図１】本考案の第１形態例を示すブラジャーの正面図である。
【図２】同じくブラジャーの背面図である。
【図３】同じくブラジャーの要部説明図である。
【図４】同じく使用状態を示すブラジャーの説明図である。
【図５】本考案の第２形態例を示すブラジャーの背面図である。
【考案を実施するための形態】
【００１２】
以下、本考案の第１形態例を図１乃至図４に基づいて説明する。本形態例のブラジャー１は、前身頃に設けられ、バストを覆う一対のカップ部２，２と、カップ部２，２の下方に設けられ、アンダーバストに位置する胴体周囲を覆うリング状の下縁ベルト３と、一方のカップ部の上部から上方に延出し、一方の肩の上部を装着者の前面側から背面側に向けて通過し、他方の肩の背面側下方に位置する下縁ベルト３に連結される帯状の第１サポート部材４と、他方のカップ部２の上部から上方に延出し、他方の肩の上部を装着者の前面側から背面側に向けて通過し、一方の肩の背面側下方に位置する下縁ベルト３に連結される帯状の第２サポート部材５とを一体に備え、第１サポート部材４と第２サポート部材５とは、後ろ身頃で交差する。
【００１３】
また、第１サポート部材４と第２サポート部材５とは、裏面の幅方向両端部と、前身頃の幅方向中央部とに、長さ方向に伸縮性を有するストレッチテープ６ａ，６ｂ，６ｃがそれぞれ縫着されている。前身頃の幅方向中央部に縫着されるストレッチテープ６ａは、カップ部２の中心部の延長線上に一端が、装着者の肩の上部に配置される位置に他端がそれぞれ縫着されるとともに、幅方向中央部が縫着される。幅方向一端部に縫着されるストレッチテープ６ｂは、装着者の前面の脇下に配置されるカップ部２の外端部に一端が、装着者の脇から前面側の肩の上部を通過して、背面側の下縁ベルト３に他端がそれぞれ縫着されるとともに、幅方向中央部が縫着される。幅方向他端部に縫着されるストレッチテープ６ｃは、双方のカップ部２，２の中間位置の上部に一端が、装着者の胸部から前面側の肩の上部を通過して、背面側の下縁ベルト３に他端がそれぞれ縫着されるとともに、幅方向中央部が縫着される。
【００１４】
さらに、後ろ身頃の、第１サポート部材４と第２サポート部材５の交差部と、下縁ベルト３との間に形成される隙間を閉塞する略三角形状の連結部材７が、第１サポート部材４と第２サポート部材５と下縁ベルト３とに亘って裏側から取り付けられている。
【００１５】
本形態例は、上述のように、第１サポート部材４と第２サポート部材５とが着用者の背中で交差するとともに、第１サポート部材４と第２サポート部材５には、長さ方向に伸縮性を有するストレッチテープ６ａ，６ｂ，６ｃが取り付けられているので、ストレッチテープ６ａ，６ｂ，６ｃの緊迫力により、図４に示されるように、着用者の左右の肩甲骨を引き寄せるとともに、上腕部及び肩を体の後方へ引き寄せることができる。また、ストレッチテープ６ａにより、バストの中心側が、ストレッチテープ６ｂにより脇側が、ストレッチテープ６ｃにより胸部側がそれぞれバランス良く上方に引き上げられることから、着用者の姿勢を良好に保ち、巻き肩や猫背になることを抑制できる。さらに、巻き肩や猫背の人が着用することにより、姿勢の矯正を行うことができ、巻き肩や猫背を改善させることができる。
【００１６】
また、後ろ身頃の、第１サポート部材４と第２サポート部材５の交差部と、下縁ベルト３との間に連結部材７を取り付けたことにより、着用者の動きに係わらず、第１サポート部材４と第２サポート部材５とが肩の位置からずれることを防止でき、常に、姿勢の矯正を正しく行うことができるとともに、装着感が悪化する虞がない。
【００１７】
図５は、本考案の第２形態例を示すもので、第１形態例と同様の構成要素を示すものには、同一の符号をそれぞれ付して、その詳細な説明は省略する。本考案のブラジャー１１は、後ろ身頃の、一方の肩の下方で、上下に位置する第１サポート部材４と第２サポート部材５とを連結する帯状の第３サポート部材１２と、他方の肩の下方で、上下に位置する第２サポート部材５と第１サポート部材４とを連結する第４サポート部材１３とを備えるとともに、第３サポート部材１２と第４サポート部材１３の幅方向両端部と幅方向中央部とに、長さ方向に伸縮性を有するストレッチテープ１４を取り付けている。
【００１８】
本形態例は、上述のように、ストレッチテープ１４をそれぞれ取り付けた第３サポート部材１２と前記第４サポート部材１３とを設けたことにより、第１サポート部材４と第２サポート部材５と第３サポート部材１２と第４サポート部材１３とで、より確実に着用者の左右の肩甲骨を引き寄せるとともに、上腕部及び肩を体の後方へ引き寄せることができ、姿勢の矯正を行うことができる。
【００１９】
なお、本考案のブラジャーは、上述の各形態例に限らず、第１サポート部材と第２サポート部材の交差部と下縁ベルト３との間に連結部材を備えていなくても差し支えない。
【符号の説明】
【００２０】
１…ブラジャー、２…カップ部、３…下縁ベルト、４…第１サポート部材、５…第２サポート部材、６ａ，６ｂ，６ｃ…ストレッチテープ、７…連結部材、１１…ブラジャー、１２…第３サポート部材、１３…第４サポート部材、１４…ストレッチテープ
【図１】
0003226463.tif 000003
【図２】
0003226463.tif 000004
【図３】
0003226463.tif 000005
【図４】
0003226463.tif 000006
【図５】
0003226463.tif 000007